(57)【特許請求の範囲】
【請求項１】
回転作用により導入通路より玉を受け入れその玉を導出通路へ送出する玉送出部材と、該玉送出部材に回転作用を与える動力装置と、前記玉送出部材より導出された玉を計数する玉計数装置からなるパチンコ機の玉払出装置において、玉送出部材の外周に設けられた玉保持部が、玉の受入れ、送出を行う毎に、受入れ、送出される玉に後続する玉列の流下の阻止と、流下の阻止解除とを繰り返し行う制動部材を、玉送出部材より上流側の導入通路側壁に設けたパチンコ機の玉払出装置であって、
制動部材を、玉の導入通路方向に直交する支軸の下部に設けられて玉送出部材の回転に同期して揺動する駆動片と、前記支軸の上部に設けられて駆動片の揺動に対応して玉の導入通路に突出または退避する玉係止片とを有するものとしたうえに、
２列の導入通路の間に一つの制動部材を配設し、玉保持部と、受動ギア部と、制動部材を揺動するカム部と、結合部とからなる２つの玉送出部材を、玉送出を交互に行うように玉保持部をずらして結合部を嵌合したうえ、前記制動部材の下方に軸着して、動力装置の出力軸に装着された駆動ギアを前記受動ギア部に噛合して玉送出部材を回転させることにより、前記カム部が制動部材の駆動片を左右に揺動させて、その玉係止片を２列の導入通路に交互に突出させるようにしたことを特徴とするパチンコ機の玉払出装置。
【請求項２】
一方の玉送出部材の玉保持部から送出された玉を玉計数装置が検出した時に、他方の玉送出部材の次の玉保持部が導入通路からの玉の受入れ位置に来るように、玉計数装置を二列の導出通路のそれぞれに配設した請求項１に記載のパチンコ機の玉払出装置。
【発明の詳細な説明】
【０００１】
【発明の属する技術分野】
本発明は、貸玉と賞玉を払い出すためのパチンコ機の玉払出装置に関するものである。
【０００２】
【従来の技術】
貸玉や賞玉を玉受け皿に払い出すためのパチンコ機の玉払出装置として、動力装置からの回転作用により導入通路より玉を受け入れ、その玉を導出通路へ送出する玉送出部材が装着されたものが知られている。しかしながら、導入通路から流下してくる玉は多段に積層されて数珠繋ぎ状になった玉列となっているため、玉送出部材の玉保持部に一個の玉が入った時にも、その玉には上方からの玉列の大きな流下圧が掛かっており、動力装置からの回転作用により玉送出部材を回転させて受入れ玉を導出通路へ送出するには大きな駆動力を必要とする。
【０００３】
また、玉払出し装置は正逆回転可能な動力装置により玉送出部材が回転方向を逆転することにより賞玉と貸玉を区別してそれぞれの導出通路に玉を送出して払い出すものとなっているが、導入通路に２、３個の玉がブリッジを形成したような場合には、玉送出部材の回転方向を逆転させようとしてもブリッジ形成による逆転抵抗が大きく、やはり大きな駆動力を必要とし動力装置が大型なものとなって、パチンコ機遊技盤裏側の狭いスペースを占有する、コストの増大を招くという問題のあるものであった。
【０００４】
【発明が解決しようとする課題】
本発明は上記した従来の問題点を解決し、玉送出部材に掛かる玉圧を小さくして、小型な動力装置により玉を払い出すことのできるパチンコ機の玉払出装置を提供するためになされたものである。
【０００５】
【課題を解決するための手段】
上記の課題を解決するためになされた本発明のパチンコ機の玉払出装置は、回転作用により導入通路より玉を受け入れその玉を導出通路へ送出する玉送出部材と、該玉送出部材に回転作用を与える動力装置と、前記玉送出部材より導出された玉を計数する玉計数装置からなるパチンコ機の玉払出装置において、玉送出部材の外周に設けられた玉保持部が、玉の受入れ、送出を行う毎に、受入れ、送出される玉に後続する玉列の流下の阻止と、流下の阻止解除とを繰り返し行う制動部材を、玉送出部材より上流側の導入通路側壁に設けたパチンコ機の玉払出装置であって、
制動部材を、玉の導入通路方向に直交する支軸の下部に設けられて玉送出部材の回転に同期して揺動する駆動片と、前記支軸の上部に設けられて駆動片の揺動に対応して玉の導入通路に突出または退避する玉係止片とを有するものとしたうえに、
２列の導入通路の間に一つの制動部材を配設し、玉保持部と、受動ギア部と、制動部材を揺動するカム部と、結合部とからなる２つの玉送出部材を、玉送出を交互に行うように玉保持部をずらして結合部を嵌合したうえ、前記制動部材の下方に軸着して、動力装置の出力軸に装着された駆動ギアを前記受動ギア部に噛合して玉送出部材を回転させることにより、前記カム部が制動部材の駆動片を左右に揺動させて、その玉係止片を２列の導入通路に交互に突出させるようにしたことを特徴とするものである。
【０００６】
上記した発明において、 一方の玉送出部材の玉保持部から送出された玉を玉計数装置が検出した時に、他方の玉送出部材の次の玉保持部が導入通路からの玉の受入れ位置に来るように、玉計数装置を二列の導出通路のそれぞれに配設することができる。
【０００７】
本発明のパチンコ機の玉払出装置は、玉送出部材の外周に設けられた玉保持部が、玉の受入れ、送出を行う毎に、受入れ、送出される玉に後続する玉列の流下の阻止と、流下の阻止解除とを繰り返し行う制動部材を、玉送出部材より上流側の導入通路側壁に設けることによって、玉送出部材に上方から掛かる玉列の大きな流下圧を遮断することができる。
【０００８】
【発明の実施の形態】
以下に本発明の好ましい実施形態を図面により説明する。
図１は、本発明のパチンコ機の玉払出装置の一実施形態を示す図であって、図２はそのＡ−Ａ部断面図、図３はそのＢ−Ｂ部断面図である。図中１は玉払出装置の本体、２、３は本体１内に設けた二組の玉送出部材であり、各玉送出部材２、３は一組の正逆回転可能な動力装置４により駆動される回転作用により導入通路５、６より玉を受入れ、その玉を導出通路７、８に移送、送出して玉計数装置９、１０により計数したうえ、賞玉或いは貸玉として玉受け皿に送出するものである。また、玉送出部材２、３は回転体２ａ、３ａの外周に玉を受け入れる玉保持部２ｂ、２ｃ、３ｂ、３ｃを複数設けて玉を回転の半径方向に出し入れするローター型としたものである。なお、玉保持部は単数であってもよいものである。
【０００９】
玉送出部材２、３より導入通路５、６の側壁には、玉列の流下を阻止するための一組の制動部材１１が配設されており、図１においては玉送出部材３の玉保持部３ｂが丁度導入通路６からの玉を受入れた状態であって、制動部材１１は支軸１２の下部の駆動片１３が左方に揺動して上部の玉係止片１４を右方に揺動させて受入れ玉に後続する玉列の流下を阻止している。なお、図４に示すように、導入通路５、６の幅員を拡げて側壁に段差１５、１６を設け、この段差１５、１６と制動部材１１とにより受入れ玉に後続する玉列の流下を阻止することも可能である。玉列の流下の阻止は、必ずしも受入れ玉の直後の玉に行う必要はなく、図示したようにその一つあとの玉の流下を阻止してもよいし、数個あとの玉の流下を阻止しても、十分玉列の流下圧を小さいものとすることができる。
【００１０】
図５〜６により玉送出部材の詳細を説明する。玉送出部材２は玉送出部材３と同一構造のものであって、回転体２ａの外周に玉を受け入れる上下二つの玉保持部２ｂ、２ｃと受動ギア部１７を有し、中心に軸穴１８が設けられたものであり、玉保持部２ｂ、２ｃのサイドには制動部材１１の駆動片１３を揺動するカム部１９を有するとともに、中心付近に上下一対の結合凸部２０と、それに直交する結合凹部２１とからなる結合部が設けられている。そして、玉送出部材２は玉送出部材３と互いの結合部を向き合わせたうえ、玉送出部材２の結合凸部２０を玉送出部材３の結合凹部に嵌合し、玉送出部材３の結合凸部を玉送出部材２の結合凹部２１に嵌合することによって、玉保持部２ｂ、２ｃと玉保持部３ｂ、３ｃとを９０°置きに左右交互に配置された一体物とすることができる。なお、当然ながらこの結合によりカム部１９も９０°置きに左右交互に配置される。
【００１１】
そして、図１に示したように、動力装置４の出力軸２２に装着された駆動歯車２３を一方の玉送出部材２の受動ギア部１７に噛合することにより、動力装置４が駆動したときに玉送出部材２、３も回転する。なお、動力装置４は正逆方向に回転可能なものであって、駆動装置４が一方向に回転したときに玉送出部材２、３も一方向に回転して賞玉または貸玉を導出通路７、８の一方に払出し、駆動装置４が逆方向に回転したときに玉送出部材２、３も逆方向に回転して貸玉または賞玉を導出通路７、８の他方に払出すことによって、賞玉と貸玉を区別して払いだすことができる。
【００１２】
玉の払出しに対応して玉送出部材２、３の上方に設けられた制動部材１１は、一つの玉を払い出す毎にカム部１９により駆動片１３が右方または左方に揺動され、上部の玉係止片１４はその逆方向に揺動されて受入れ玉に後続する玉列の流下を阻止している。制動部材１１の揺動と連動する玉の落下軌跡を図７により説明する。（ａ）図は玉払出装置１の正面図、（ｂ）図はその側面図、（ｃ）図は玉の落下軌跡と駆動片１３の揺動軌跡を示すものであって、（ａ）図に示すように、右側の玉送出部材３は玉保持部３ｂに玉Ｅを受け入れた状態であって、制動部材１１の駆動片１３は左方に押され、玉係止片１４を右方に傾けて玉導入通路６に突出して玉Ｅに後続する玉Ａの流下を阻止している。
【００１３】
（ｂ）図に示した玉保持部３ｂは、（ｃ）図のステップ▲１▼、即ち玉係止片１４により玉Ａの流下が阻止されたステップにあるが、玉保持部３ｂが左回り（反時計回り）に約７５°回転すると駆動片１３は左側の玉送出部材２のカム部１９に押されて玉係止片１４を左方に揺動するので、玉Ａから外れてステップ▲２▼で玉Ａが下方に流下し回転角度９０°にて玉保持部２ｃは玉Ｄを受け入れるとともに、玉Ｂの後続玉の流下を阻止する。さらに玉送出部材２、３が回転して玉保持部３ｂが約１６０°付近にまで回転すると、今度は右側の玉送出部材３のカム部１９が駆動片１３を左方に押して玉係止片１４を右方に揺動して玉Ａの後続玉の流下を阻止しつつ、玉Ｃがステップ▲３▼にて玉保持部３ｃに流入する。そして、玉Ａはステップ▲４▼にて玉Ｃの上を滑りながら玉送出部材３の外周に乗る。
【００１４】
さらに回転が進んで２５０°付近で再び玉送出部材２のカム部１９により玉係止片１４が左方に揺動されるとともに、玉保持部３ｂの２７０°回転位置にて玉保持部２ｂに玉Ｂが流入し、さらに回転が進んで玉保持部３ｂが３６０°回転する、即ち一回転して始めの位置に戻るとステップ▲５▼にて玉Ａは玉保持部３ｂに流入することができて、元の状態に戻る。
【００１５】
図８〜１７は、玉保持部３ｂが０°〜９０°にまで回転する時の状態を示す図であって、図８〜１５までは特に大きな変化はないが、７０°少し前で駆動片１３は左側の玉送出部材２のカム部１９に押され始めて玉Ａから外れかけて、図１６に示す８０°の状態では、完全に玉Ａから外れて玉Ａを玉Ｃの上に乗せるが、この時玉Ｅは玉保持部３ｂから外れて導出通路７に送出される。そして、図１７に示す回転角９０°においては玉Ｂの後続玉の流下を阻止する状態となるが、この時玉計数装置９が玉Ｅを計数するとともに、次の玉保持部２ｃが導入通路５からの玉の受入れ位置に来る。
【００１６】
上記したように、一方の玉送出部材３の玉保持部３ｂから送出された玉を玉計数装置９が検出した時に、他方の玉送出部材２の次の玉保持部２ｃが導入通路５からの玉の受入れ位置に来るように、玉計数装置９および１０を二列の導出通路の７、８のそれぞれに配設することによって、玉の受入れ、送出を連続してスム−ズに行うことができる。
【００１７】
本発明のパチンコ機の玉払出装置は、玉送出部材の外周に設けられた玉保持部が、玉の受入れ、送出を行う毎に、受入れ、送出される玉に後続する玉列の流下の阻止と、流下の阻止解除とを繰り返し行う制動部材を、玉送出部材より上流側の導入通路側壁に設けることによって、玉送出部材に上方から掛かる玉列の大きな流下圧を遮断することができる。
【００１８】
【発明の効果】
以上に説明したように、本発明のパチンコ機の玉払出装置は、玉送出部材の外周に設けられた玉保持部が、玉の受入れ、送出を行う毎に、受入れ、送出される玉に後続する玉列の流下の阻止と、流下の阻止解除とを繰り返し行う制動部材を、玉送出部材より上流側の導入通路側壁に設けることによって、玉送出部材に上方から掛かる玉列の大きな流下圧を遮断することができて、動力装置に掛かる負荷を軽減してその寿命を延長することができる。また、玉払出しのために大きな駆動力を必要とせず、動力装置を小型なものとすることができる利点がある。
【図面の簡単な説明】
【図１】  本発明の第１の実施形態である玉払出装置の正面図である。
【図２】  図１のＡ−Ａ部の側面図である。
【図３】  図１のＢ−Ｂ部の側面図である。
【図４】  本発明の第２の実施形態である玉払出装置の正面図である。
【図５】  玉送出部材の前方正面図である。
【図６】  玉送出部材の後方正面図と側面図である。
【図７】  玉の落下軌跡を説明する図である。
【図８】  玉保持部３ｂに玉を受け入れた状態を示す図である。
【図９】  玉保持部３ｂが１０°左に回転した状態を示す図である。
【図１０】  玉保持部３ｂが２０°左に回転した状態を示す図である。
【図１１】  玉保持部３ｂが３０°左に回転した状態を示す図である。
【図１２】  玉保持部３ｂが４０°左に回転した状態を示す図である。
【図１３】  玉保持部３ｂが５０°左に回転した状態を示す図である。
【図１４】  玉保持部３ｂが６０°左に回転した状態を示す図である。
【図１５】  玉保持部３ｂが７０°左に回転した状態を示す図である。
【図１６】  玉保持部３ｂが８０°左に回転した状態を示す図である。
【図１７】  玉保持部３ｂが９０°左に回転した状態を示す図である。
【符号の説明】
１  玉払出装置の本体
２、３  玉送出部材
２ａ、３ａ  回転体
２ｂ、２ｃ、３ｂ、３ｃ  玉保持部
４  動力装置
５、６  導入通路
７、８  導出通路
９、１０  玉計数装置
１１  制動部材
１２  支軸
１３  駆動片
１４  玉係止片
１５、１６  段差
１７  受動ギア部
１８  軸穴
１９  カム部
２０  結合凸部
２１  結合凹部
２２  出力軸
２３  駆動歯車
【図１】
0004473416.tif 000002
【図２】
0004473416.tif 000003
【図３】
0004473416.tif 000004
【図４】
0004473416.tif 000005
【図５】
0004473416.tif 000006
【図６】
0004473416.tif 000007
【図７】
0004473416.tif 000008
【図８】
0004473416.tif 000009
【図９】
0004473416.tif 000010
【図１０】
0004473416.tif 000011
【図１１】
0004473416.tif 000012
【図１２】
0004473416.tif 000013
【図１３】
0004473416.tif 000014
【図１４】
0004473416.tif 000015
【図１５】
0004473416.tif 000016
【図１６】
0004473416.tif 000017
【図１７】
0004473416.tif 000018